(57)【要約】【課題】  所有者に楽しみを与える心地よい音を発することが出来ると共に、御守りに必要不可欠な霊験を呈する神秘性や荘厳さを十分に備えた、新規な構造の御神体を提供する。【解決手段】  木製とされた基体１４に収容凹所１８を形成して、かかる収容凹所１８に米又は籾２０を収容せしめると共に、収容凹所１８の開口部を薄肉の蓋板部材１６によって覆蓋せしめて米又は籾２０を収容する収容空間２２を構成した。【選択図】  図７
0003107894.tif 000002
【実用新案登録請求の範囲】
【請求項１】
木製とされた基体に収容凹所が形成されていると共に、該収容凹所の開口部が薄肉の木製の蓋板部材によって覆蓋されて収容空間を有する箱状本体部が形成されている一方、該収容空間に米又は籾が収容されていることを特徴とする御神体。
【請求項２】
前記基体が略矩形ブロック形状の木片で構成されていると共に、該基体の特定の面が掘穿されて前記収容凹所が形成されている請求項１に記載の御神体。
【請求項３】
前記基体が薄肉の板材が組み合わせられて周壁面及び底壁面を構成された箱体構造とされている請求項１に記載の御神体。
【請求項４】
前記基体と前記蓋板部材によって構成された前記箱状本体部における、外表面の少なくとも一部が薄肉の包装材によって覆われている請求項１乃至３の何れかに記載の御神体。
【請求項５】
前記包装材の材料として紙が用いられている請求項４に記載の御神体。
【請求項６】
前記包装材が細長いテープ状とされており、該包装材が前記箱状本体部に対して螺旋状に巻きつけられている請求項４又は５に記載の御神体。
【請求項７】
前記包装材が薄肉のシート状とされており、該包装材によって前記箱状本体部の外表面が全面に亘って覆われていると共に、該包装材に文字及び／又は図柄が表わされている請求項４又は５に記載の御神体。
【請求項８】
前記収容空間に収容する前記米又は籾が１乃至５粒である請求項１乃至７の何れかに記載の御神体。
【請求項９】
前記蓋板部材の部材厚が１．５ｍｍ以下である請求項１乃至８の何れかに記載の御神体。
【考案の詳細な説明】
【技術分野】
【０００１】
本考案は、神社や寺院などにおいて授かる御神体に係り、特に、音を発する御神体に関するものである。
【背景技術】
【０００２】
従来から、御神体を御守り袋に入れて携帯できるようにした御守りが一般に広く知られており、御守りの所有者は神主や僧侶の祈祷を受けた御神体によって、厄除けや祈願成就等といったご利益に授かると信じられている。このような御神体は、携帯することによって神仏の加護を受けているという安心感や願いが叶うのではないかという期待感を所有者に与えるものであり、従来では、その他の特別な機能を付加することが殆ど考えられていなかった。
【０００３】
ところが、昨今では、携帯するだけではなく、例えば、所有者に楽しみ等を与えることの出来る御神体を備えた御守りも工夫されて提案されている。具体的には、例えば、特許文献１（実開昭６２−１５３９８５号）には、御守り袋の中に音声回路及び音声回路を作動させるためのセンサーを備えた御神体を収容することにより、光や接触などの刺激によって、御神体からメロディー等が発せられるようにされた御守りが開示されている。
【０００４】
このような特許文献１に示されているような御守りに採用されている御神体によれば、ただ携帯するだけではなく、音楽や音声を楽しむことも出来る。しかしながら、このような特許文献１に示されているような御神体では、所有者に十分な満足感を与えることが出来ないおそれがある。即ち、上述のとおり、御守りは神仏の加護を願って所有するものである。それ故、御守りの要部である御神体には、神仏の加護、換言すれば霊験を呈するようなある種の神秘性や荘厳さが必要とされる。そして、そのような神秘性や荘厳さによって、所有者は安心感や期待感を得ることが出来るのである。ところが、特許文献１に示されているような御守りに用いられる御神体では、非常に人工的で無機的な構造となっており、神秘性に乏しく、御神体本来の機能を十分に発揮できないおそれがあるのである。
【０００５】
【特許文献１】実開昭６２−１５３９８５号
【考案の開示】
【考案が解決しようとする課題】
【０００６】
ここにおいて、本考案は、上述の如き事情を背景として為されたものであって、その解決課題とするところは、所有者に楽しみを与える心地よい音を発することが出来ると共に、御神体に必要不可欠な霊験を呈する神秘性や荘厳さを十分に備えた、新規な構造の御神体を提供することにある。
【課題を解決するための手段】
【０００７】
以下、このような課題を解決するために為された本考案の態様を記載する。なお、以下に記載の各態様において採用される構成要素は、可能な限り任意な組み合わせで採用可能である。また、本考案の態様乃至は技術的特徴は、以下に記載のものに限定されることなく、明細書全体および図面に記載されたもの、或いはそれらの記載から当業者が把握することの出来る考案思想に基づいて認識されるものであることが理解されるべきである。
【０００８】
すなわち、本考案の第一の態様は、木製とされた基体に収容凹所が形成されていると共に、該収容凹所の開口部が薄肉の木製の蓋板部材によって覆蓋されて収容空間が形成されている一方、該収容空間に米又は籾が収容されていることを、特徴とする。
【０００９】
このような本態様に従う構造とされた御神体においては、古来より神事に多用されており、神聖視されることが多々ある木と米又は籾が組み合わせられて御神体とされることにより、所有者に御利益を感じさせる神秘性を備えた御神体を実現することが出来る。
【００１０】
また、木材によって構成された基体や蓋板部材に対して米又は籾が当接することにより、心地良い音が発せられて、所有者に楽しみを与えることが出来る。しかも、本考案では、特に、収容空間の壁部の一部を構成する蓋板部材を薄肉としたことにより、蓋板部材が共鳴板としても機能することとなり、基体と米又は籾との当接音が増幅されるようになっている。これにより、たとえ小さな米や籾の粒でも、基体や蓋板部材への当接音を、人が容易に聞くことの出来る程度とすることが出来る。
【００１１】
そして、御神体を携帯する人は、御神体が揺れ動いて自然に発する音を感じることで、御神体を携帯していることを意識することが出来るようになる。しかも、御神体が発する音は、人工的でなく自然的な音色であることから、御神体の持つ神秘性や有り難みを阻害することもない。その結果、御神体を携帯する人は、御神体の身近な存在を、より強く且つ頻繁に意識することが出来るようになり、御神体を持つ人の安心感など、御神体の本来の作用が増幅されることとなるのである。
【００１２】
なお、収容凹所は、基体に一箇所だけ形成されていても良いし、二箇所以上の複数箇所に形成されていても良い。また、収容空間に収容される米又は籾は、一粒だけでも良いし、二粒以上でも良く、特に複数の籾を収容する場合には、稲穂の状態で収容することも可能である。
【００１３】
また、本考案の第二の態様は、前記第一の態様に係る御神体において、前記基体が略矩形ブロック形状の木片で構成されていると共に、該基体の特定の面が掘穿されて前記収容凹所が形成されていることを、特徴とする。このような本態様に従う構造とされた御神体においては、ブロック状の木片を用いて掘穿することにより、収容凹所を備えた基体を、必要な強度をもって、容易に製造することが可能となる。
【００１４】
また、本考案の第三の態様は、前記第一の態様に係る御神体において、前記基体が薄肉の板材が組み合わせられて周壁面及び底壁面を構成された箱体構造とされていることを、特徴とする。このような本態様に従う構造とされた御神体においては、大きな収容空間を容易に得ることが出来る。それ故、複数の米又は籾を収容する場合に有利な御神体を簡単に製造することが出来る。
【００１５】
また、本考案の第四の態様は、前記第一乃至第三の何れかに係る御神体において、前記基体と前記蓋板部材によって構成された箱状本体部における、外表面の少なくとも一部が薄肉の包装材によって覆われていることを、特徴とする。このような本態様に従う構造とされた御神体においては、箱状本体部が包装材によって覆われていることにより、例えば、包装材に工夫を凝らすことで、御神体の神秘性や装飾性を一層高められる。
【００１６】
また、本考案の第五の態様は、前記第四の態様に係る御神体において、前記包装材の材料として紙が用いられていることを、特徴とする。このような本態様に従う構造とされた御神体においては、木や米と同様に神事に欠かすことが出来ない紙を包装材として採用したことにより、一層の神秘性を御神体に付加することが出来て、所有者に満足感を与えることが出来る。
【００１７】
また、本考案の第六の態様は、前記第四又は第五の態様に係る御神体において、前記包装材が細長いテープ状とされており、該包装材が前記箱状本体部に対して螺旋状に巻きつけられていることを、特徴とする。このような本態様に従う構造とされた御神体においては、テープ状の包装材を箱状本体部に対して螺旋状に巻きつけた。このように、宇宙の誕生と進化にかかわる象徴的図形である螺旋の態様で包装材が巻きつけられることにより、より一層の荘厳さと見た目の美しさとを備えた御神体を提供することが出来る。また、箱状本体部の表面において、包装材によって覆われていない部分が広く存在することにより、米又は籾と基体との当接音が阻害されることなく外部に発せられて、心地良い音を十分に確保することが出来る。
【００１８】
また、本考案の第七の態様は、前記第四又は第五の態様に係る御神体において、前記包装材が薄肉のシート状されており、該包装材によって前記箱状本体部の外表面が全面に亘って覆われていると共に、該包装材に文字及び／又は図柄が表わされていることを、特徴とする。このような本態様に従う構造とされた御神体においては、例えば、包装材に祈願や願意、或いは御真言などを表す等することにより、より一層霊験あらたかな御神体を提供することが出来る。
【００１９】
また、本考案の第八の態様は、前記第一乃至第七の何れかの態様に係る御神体において、前記収容空間に収容する前記米又は籾が１乃至５粒であることを、特徴とする。このような本態様に従う構造とされた御神体においては、箱状本体部と米又は籾との当接音を確実に且つ美しく得ることが出来る。
【００２０】
また、本考案の第九の態様は、前記第一乃至第八の何れかの態様に係る御神体において、前記蓋板部材の部材厚が１．５ｍｍ以下であることを、特徴とする。このような本態様に従う構造とされた御神体においては、蓋板部材を十分に薄肉とすることによって、共鳴板としての効果を高度に得ることが可能となり、当接音を澄んだ音で十分に響かせることが可能となる。
【考案の効果】
【００２１】
上述の説明から明らかなように、本考案に従う構造とされた御神体にあっては、心地良い音を発して所有者に楽しみを与えることの出来る御神体を、古来から神聖視されてきた木と米（籾）を用いて構成することによって、所有者にその御神体が有する神秘性等に基づく御利益を期待させることが出来て、十分な満足感を与えることの出来る態様で実現することが出来る。
【考案を実施するための最良の形態】
【００２２】
以下、本考案を更に具体的に明らかにするために、本考案の実施形態について、図面を参照しつつ、詳細に説明する。
【００２３】
先ず、図１〜６には、本考案の第一の実施形態としての御神体１０が示されている。かかる御神体１０は箱状本体部としての本体部１２を含んで構成されている。なお、以下の説明において、上下方向，左右方向とは、それぞれ図１における上下方向，左右方向を示すものとする。また、前後方向とは、図３における左右方向を示すものとする。
【００２４】
より詳細には、本体部１２は、基体としての木製基体１４と蓋板部材としての木製蓋板１６によって構成される。木製基体１４は、略直方体ブロック形状の乾燥させた木材によって形成されており、その前面には、図７，８に示すように、収容凹所１８が形成されている。収容凹所１８は、木製基体１４の前面の一部を掘穿することによって形成された凹所であって、米又は籾としての米粒２０がかかる収容凹所１８内に収容されている。特に本実施形態においては、収容凹所１８に収容される米粒２０は、乾燥した精米であって、３粒前後の数粒が収容されている。
【００２５】
そして、図７，図８に示されているように、米粒２０を収容した状態で、収容凹所１８の開口部が木製蓋板１６によって覆蓋されて、収容空間２２が形成される。木製蓋板１６は、薄肉の略矩形状とされた木板によって形成されている。なお、木製蓋板１６に用いられる木板は、天日や機械的な手段等によって十分に乾燥されていることが望ましい。また、木製蓋板１６は、その部材厚としての板厚が１．５ｍｍ以下とされることが望ましく、より好適には１．０ｍｍ以下、更に好適には０．７５ｍｍ以下とされる。これにより、木製蓋板１６の共鳴作用等による後述する音の増幅効果が、一層有利に発揮される。
【００２６】
すなわち、このようにして構成された米粒２０を収容した本体部１２は、振動や揺動を与えられることにより米粒２０が木製蓋板１６や収容凹所１８に当接して音を発することとなる。かかる当接音そのものは、微小な音であるが、本考案では、収容空間２２内において発生した音が、薄肉の板材によって構成された木製蓋板１６の共振によって増幅されて、外部に響くようになっている。
【００２７】
一方、このようにして構成された米粒２０を収容した本体部１２には、螺旋状に包装材としての紙テープ２４が巻きつけられている。紙テープ２４は、略テープ状の細長い紙で形成されている。かかる紙テープ２４の一端を本体部１２の側面上端部分に接着等して固着せしめられると共に、本体部１２の外表面上を螺旋状に巻きつけられて、本体部１２の側面下端部分において他端が接着され、固着せしめられている。
【００２８】
そして、御神体１０は、図示しない御守り袋に収容されて、携帯に便利な態様の御守りとして、或いは、より音を聞き取り易いそのままの状態の御神体としてなど、種々の態様にて提供されることとなる。
【００２９】
このような本実施形態に従う構造とされた御神体１０においては、古来より神事に多用されてきた米と木を用いることによって、神聖さや神秘性を損なうことがなく、所有者に御利益を期待させることが出来て、満足感を与えることが出来る。しかも、木製蓋板１６を薄肉としたことによって、木製蓋板１６に共鳴板の如き機能を持たせることが出来て、御神体を振ることによって生じる木製蓋板１６及び収容凹所１８と米粒２０との当接音を増幅して発し、その心地良い音によって所有者に楽しみを与えることが出来る。
【００３０】
また、本体部１２として乾燥した木材を採用すると共に、米粒２０を天日若しくは機械的に乾燥させて収容空間２２に収容した。これにより、米粒２０と本体部１２との当接音を一層明瞭に生じさせることが出来る。
【００３１】
また、包装材として紙製で細長いテープ状の紙テープ２４を採用したことにより、木材の美しさを損なうことなく一層引き立てることが出来る。また、しばしば宇宙や生命を象徴的に表す螺旋という形態をもって巻きつけたことにより、一層の神秘性を醸し出すことが出来る。しかも、本体部１２の表面において、包装材によって覆われていない部分が大きく存在することにより、米粒２０が本体部１２に当接する際に発せられる当接音がより良い響きをもって発せられることとなる。
【００３２】
さらに、上述の如く、原音を発する米粒２０と本体部１２，木製蓋板１６や、発生した原音を共鳴増幅する木製蓋板１６といった音の発生メカニズムに関わる構成が、何れも、自然界に存在する物を利用して製造されている。従って、これら米粒２０と本体部１２，木製蓋板１６については、同一のものが二つとないのが事実であり、それ故、複数提供する個々の御神体１０において、発生する音が相互で微妙に異なってくる。このことは、例えば大きさや寸法，米粒２０の収容数等をわざわざ異ならせなくても、同一製造工程で製造して提供する御神体の個々の間でも、発する音色が相互に異なる結果となる。
【００３３】
かかる事実は、御神体を持つ者に対して、自分の持つものが二つとない御神体であることを、より積極的に且つ直接的に認識させることが出来るという大きな効果を発揮する。即ち、自分だけが持つ特別な御神体であることを意識することによって、御神体に求められる神秘性や有り難み等が向上され得て、精神的なご加護やご利益という作用効果の更なる向上を期待することが出来るのである。
【００３４】
次に、図９〜１１には本考案の第二の実施形態に従う構造とされた御神体２６が示されている。なお、以下の説明において、第一の実施形態と実質的に同一の部材及び部分については、図中に同一の符号を付すことにより説明を省略する。
【００３５】
すなわち、前記第一の実施形態において示した御神体１０においては、包装材としてテープ状の紙によって構成された紙テープ２４を採用していたが、本実施形態に従う構造とされた御神体２６においては、シート状の紙によって構成された紙シート２７を包装材として採用している。かかる紙シート２７によって、本体部１２の表面が略全面に亘って覆われており、紙シート２７に神社名や印章などが表わされることによって、紙シート２７によって包装された御神体２６に御札としての機能が付加されている。なお、図９〜１１においては、「八幡神社御守」の文字と神社印２８及び封印２９が紙シート２７に対して表わされた例が示されている。
【００３６】
このような本実施形態に従う構造とされた御神体２６においては、紙製のシート状とされた紙シート２７を採用することによって、前記第一の実施形態に比して包装材が破損する可能性が低くなる。また、御神体２６に御札としての機能が追加されることによって、より一層の神聖さを所有者に感じさせることが出来て、期待感や安心感を十分に与えることが出来るのである。
【００３７】
また次に、図１２，図１３には、本考案の第三の実施形態としての御神体３０が示されている。
【００３８】
すなわち、本実施形態に従う構造とされた御神体３０においては、本体部３２が、木製の板材を組み合わせた略箱形状の構造となっている。
【００３９】
より詳細には、木製で略平板形状の側面枠板３４を、矩形平板形状の背面蓋板３６の外周に沿うように屈曲せしめて枠形状にして、枠形状とされた側面枠板３４の板幅方向の一端を背面蓋板３６に固着せしめることによって、側面枠板３４と背面蓋板３６によって形成された収容凹所４２を備えた、略枡形の木製基体３８が形成されると共に、平板形状の正面蓋板４０によって木製基体３８の開口部が覆蓋されて、中空で略矩形状の本体部を備えた御神体３０が形成されている。
【００４０】
このような本実施形態に従う構造とされた御神体３０においては、収容凹所４２を掘穿することなく得ることが出来て、大きな収容空間を容易な製造方法で形成することが出来る。
【００４１】
以上、本考案の幾つかの実施形態について説明してきたが、これらはあくまでも例示であって、本考案は、かかる実施形態における具体的な記載によって、何等、限定的に解釈されるものではない。
【００４２】
例えば、前記第一及び第二の実施形態においては、紙テープ２４や紙シート２７といった包装材によって本体部の一部又は全面を覆っていたが、かかる包装材は必ずしも必要ではなく、第三の実施形態に示す如く、本体部をそのまま御神体として提供することも出来る。また、例えば、本体部の表面に文字や図柄を記入或いは印刷することによって、御札として提供すること等もでき得る。
【００４３】
また、御神体は、例えばお守りが神と仏の両方に用いられるように、神社や仏閣およびそれらに関連する各種のものを含めて解釈される。
【００４４】
さらに、前記第一乃至第三の実施形態においては、携帯性に留意した比較的小型の御神体１０，２６，３０を例示したが、御神体の大きさは前記実施形態によって何等限定して解釈されるものではなく、自由に変更が可能である。即ち、御神体の大きさを必要に応じて大きくすることにより、収容空間を大きく取ることが可能となると共に、米粒２０と木製基体１４及び木製蓋板１６との当接音を一層有利に増幅することが出来る。また、大型化によって重厚感を付加することも可能となる。
【００４５】
更にまた、前記第一乃至第三の実施形態においては、収容凹所２２，４２に米粒２０のみを収容した例を示したが、御神体の大きさや収容空間の広さ等に応じて、収容空間に種々の物を米又は籾等と共に収容することも出来る。具体的には、例えば、特に神社や寺院に献納される薄ぎぬ，倭文，木綿，麻，庸布，幣紙など、神仏に奉献される物品を収容して提供することも出来る。それによって、米などの単体を収容する場合に比して、音や振動などの調整も可能となる。
【００４６】
また、木製基体に形成される収容凹所は、前記第一乃至第三の実施形態に示されているように一つの木製基体に対して一つの収容凹所が形成されても良いし、複数の収容凹所が一つの木製基体に形成されても良い。
【００４７】
本体部に収容される米粒２０として前記第一乃至第三の実施形態では乾燥させた精米を採用したが、必ずしも精米である必要はなく、籾や玄米等の各種の米は勿論、稲穂を収容せしめることも可能である。即ち、稲穂、更にそこから得られる籾や米は、多くの種子を生み出すことや、少なくとも日本等において人がその種子を生きる糧としてきたこと等によって、古くから「豊穣」や「生命」、更にはそれらの根源を象徴するものとしても広く認識されている。このような稲穂や、それに由来するもの（米や籾）を御神体に収容することにより、御神体により一層の神秘性を付加することが可能となるのである。また、収容凹所に収容される米粒２０の数は、前記実施形態によって何等限定されない。例えば、一粒の米粒２０を収容しても良いし、複数粒の米粒２０を収容しても良い。
【００４８】
また、本体部の形成方法は前記第一乃至第三の実施形態のものによって何等限定されない。具体的には、例えば、図１４に示すように、四枚の木製の平板部材４４、４４，４４，４４を組み合わせて枠構造体４６とすると共に、かかる枠構造体４６を二枚の木製蓋板４８，４８で挟み込むことによって、中空の本体部を備えた御神体５０を形成することも出来る。
【００４９】
また、御神体の形状は、前記第一乃至第三の実施形態において示したような略直方体形状である必要は必ずしもない。例えば、立方体形状の御神体も採用され得る。
【００５０】
また、前記第一及び第二の実施形態においては、包装材として紙テープ２４や紙シート２７を採用したが、包装材の材料が紙である必要は必ずしもなく、ビニル製等も適宜に採用され得る。更に、文字や図柄の記載や印刷等は必ずしもしなくて良い。
【００５１】
また、御守り袋への収容は、携帯性等を考慮して適宜に行えばよく、収容した状態で提供しても良いし、収容しない状態で提供しても良い。
【００５２】
その他、一々列挙はしないが、本考案は、当業者の知識に基づいて種々なる変更，修正，改良等を加えた態様において実施され得るものであり、また、そのような実施態様が、本考案の趣旨を逸脱しない限り、何れも、本考案の範囲内に含まれるものであることは、言うまでもない。
【図面の簡単な説明】
【００５３】
【図１】本考案の第一の実施形態に従う構造とされた御神体を示す正面図である。
【図２】図１に示された御神体の背面図である。
【図３】図１に示された御神体の右側面図である。
【図４】図１に示された御神体の左側面図である。
【図５】図１に示された御神体の平面図である。
【図６】図１に示された御神体の底面図である。
【図７】図１に示された御神体の分解図である。
【図８】図１に示された御神体の断面図であって、図１におけるＶＩＩＩ−ＶＩＩＩ断面に相当する図である。
【図９】本考案の第二の実施形態に従う構造とされた御神体を示す正面図である。
【図１０】図８に示された御神体の背面図である。
【図１１】図８に示された御神体の底面図である。
【図１２】本考案の第三の実施形態に従う構造とされた御神体を示す斜視図である。
【図１３】図１２に示された御神体の分解図である。
【図１４】本考案の別の一実施形態としての御神体を示す分解図である。
【符号の説明】
【００５４】
１０  御神体
１２  本体部
１４  木製基体
１６  木製蓋板
１８  収容凹所
２０  米粒
２２  収容空間
２４  紙テープ
【図１】
0003107894.tif 000003
【図２】
0003107894.tif 000004
【図３】
0003107894.tif 000005
【図４】
0003107894.tif 000006
【図５】
0003107894.tif 000007
【図６】
0003107894.tif 000008
【図７】
0003107894.tif 000009
【図８】
0003107894.tif 000010
【図９】
0003107894.tif 000011
【図１０】
0003107894.tif 000012
【図１１】
0003107894.tif 000013
【図１２】
0003107894.tif 000014
【図１３】
0003107894.tif 000015
【図１４】
0003107894.tif 000016